(57)【要約】      （修正有）【課題】無線充電が可能でこれらの製品と発光素子等を直接的に一体に結合可能となる着脱式無線充電発光装置を提供する。【解決手段】発射回路３１０により受信回路１３０に交流信号を無線伝送するため、発光素子１２０に受信回路１３０が電気的に接続される。受信回路１３０は、受信誘導コイル１３１と、受信誘導コイルに接続する二次受信共振回路と、二次受信共振回路に接続するＡＣ／ＤＣ整流平滑定電圧回路と、ＡＣ／ＤＣ整流平滑定電圧回路に接続する二次電池１３４とを含む。受信誘導コイルにより発射回路３１０からの交流信号を受信して、該交流信号が二次受信共振回路により同調されるとともに、該交流信号がＡＣ／ＤＣ整流平滑定電圧回路により整流、定圧され、該交流信号を電気に変換させ、さらに、二次電池１３４により電気を蓄えて各発光素子１２０に電気を与えて発光させる。。【選択図】図１
0003167674.tif 000002
【実用新案登録請求の範囲】
【請求項１】
製品に結合された着脱式無線充電発光装置であって、
本体と、
前記本体内に設けられた少なくとも一つの発光素子と、
前記本体内に設けられ、前記発光素子に電気的に接続され、電気を蓄える二次電池を有する受信回路と、
前記本体の表面に設けられ、前記製品と互いに位置決めされるように前記製品に結合された少なくとも一つの固定部材と、を含む着脱式無線充電発光装置。
【請求項２】
前記本体は、可撓性プリント基板及び編組物のうちいずれか一つであることを特徴とする請求項１に記載の着脱式無線充電発光装置。
【請求項３】
前記発光素子は、発光ダイオード及び有機発光ダイオードのうちいずれか一つであることを特徴とする請求項１に記載の着脱式無線充電発光装置。
【請求項４】
前記製品は、充電装置と互いに位置決めされたことを特徴とする請求項１に記載の着脱式無線充電発光装置。
【請求項５】
前記充電装置は、発射回路と、前記発射回路に接続された電源ユニットとを有し、前記電源ユニットが前記発射回路に電気を与えて、且つ、前記電気が前記発射回路により交流信号に変換されたことを特徴とする請求項４に記載の着脱式無線充電発光装置。
【請求項６】
前記発射回路は、前記電源ユニットに接続する振動分周回路と、前記振動分周回路に接続する駆動増幅回路と、前記駆動増幅回路に接続する一次発射共振回路と、前記一次発射共振回路に接続する発射コイルとを含み、前記振動分周回路により前記電源ユニットからの電気を交流信号に変換し、前記振動分周回路により変換された該交流信号が前記駆動増幅回路により増幅された後に、前記駆動増幅回路により増幅された交流信号が前記一次発射共振回路により同調され、さらに、前記一次発射共振回路により同調された交流信号を前記発射コイルで前記受信回路に発送することを特徴とする請求項１に記載の着脱式無線充電発光装置。
【請求項７】
制御回路とスイッチとをさらに有し、前記制御回路と前記スイッチとが前記本体内に設けられ、前記制御回路と前記スイッチと前記受信回路とが前記発光素子に電気的に直列接続されたことを特徴とする請求項１に記載の着脱式無線充電発光装置。
【請求項８】
前記受信回路は、受信誘導コイルと、前記受信誘導コイルに接続する二次受信共振回路と、前記二次受信共振回路に接続するAＣ/DＣ整流平滑定電圧回路と、前記AＣ/DＣ整流平滑定電圧回路に接続する二次電池とを含み、前記受信誘導コイルにより前記発射回路からの交流信号を受信して、前記受信誘導コイルにより受信した該交流信号が前記二次受信共振回路により同調され、前記二次受信共振回路により同調された該交流信号が前記AＣ/DＣ整流平滑定電圧回路により整流、定圧されるとともに、該交流信号を電気に変換し、前記AＣ/DＣ整流平滑定電圧回路により変換された電気を前記二次電池により蓄えることを特徴とする請求項１に記載の着脱式無線充電発光装置。
【請求項９】
前記発光素子に形成された防水層をさらに含むことを特徴とする請求項１に記載の着脱式無線充電発光装置。
【請求項１０】
前記固定部材と前記製品との位置決めは、係合、結束、接着、結び付き又は相互吸着の方式のうちいずれか一つであることを特徴とする請求項１に記載の着脱式無線充電発光装置。
【考案の詳細な説明】
【技術分野】
【０００１】
本考案は、着脱式無線充電発光装置に関し、特に、無線充電可能で、例えば、布製品又は革製品などの製品に固定されて発光可能となる着脱式無線充電発光装置に関する。
【背景技術】
【０００２】
衣服や、ズボン、スカート、肌着、ベルト（ウェストベルト）、レインコート、帽子、又はジャケットなどの製品に、例えば、発光ダイオード（LED）などの発光素子を付加しようとすることがあって、従来では、夜間に雰囲気や趣味又は美観の効果を増やすために、ジャケット及び帽子に発光素子を設けて発光させものしか見られない。
【０００３】
さらに、これらの製品は、ミシン縫いや、溶着（例えば、高周波）、又は熱熔着などの接合技術を用いて、複数種類の布（異なる材質、色及び形状）などで組み合いすることができる。しかしながら、これらの製品に発光素子を結合させるのは、長い間に亘って困難となっているので、使用上及び造形上の両方として、いずれも局限されることになっている。
【０００４】
また、該発光素子が使用するときに必要とする電気は、ニッケル水素電池やリチウム電池などの二次電池の利用が大半占められ、二次電池は、主に、充電装置により充電を行い、充電装置がコンセントとケーブルで接続され、充電のために必要とする電気を有線接続によって二次電池に伝達する必要があるので、使用範囲が限られ、使用の利便性が低下されることになっている。
【考案の開示】
【考案が解決しようとする課題】
【０００５】
そのため、無線充電が可能で製品に直接的に固定された発光装置をどうすれば設計できるかが、本考案が解決しようとする課題である。
【０００６】
本考案は、無線充電が可能でこれらの製品と発光素子等を直接的に一体に結合可能となる着脱式無線充電発光装置を提供することを主な目的とする。
【課題を解決するための手段】
【０００７】
前記目的を達成するため、本考案による着脱式無線充電発光装置は、製品に結合された着脱式無線充電発光装置であって、本体と、前記本体内に設けられた少なくとも一つの発光素子と、前記本体内に設けられ、前記発光素子に電気的に接続され、電気を蓄える二次電池を有する受信回路と、前記本体の表面に設けられ、前記製品と互いに位置決めされるように前記製品に結合された少なくとも一つの固定部材とを含む。よって、前記着脱式無線充電発光装置は、これらの固定部材のみにより前記製品と直接的に一体に結合され、従来の欠点が完全に克服されるとともに、前記受信回路で無線充電し、前記二次電池により前記電気を蓄えてこれらの発光素子に電気を与えて発光させることができる。
【考案の効果】
【０００８】
本考案では、無線充電が可能で、これらの製品と発光素子等を直接的に一体に結合した着脱式無線充電発光装置を提供することができる。
【図面の簡単な説明】
【０００９】
【図１】図１は、本考案による第１実施例の着脱式無線充電発光装置を示す斜視図である。
【図２】図２は、図１による本考案の側面図である。
【図３】図３は、図１による本考案の回路ブロック図である。
【図４】図４は、図１による本考案の使用状態を示す図である。
【図５】図５は、本考案による第２実施例の着脱式無線充電発光装置を示す斜視図である。
【図６】図６は、図４による本考案の側面図である。
【図７】図７は、図４による本考案の回路ブロック図である。
【図８】図８は、本考案による第３実施例の着脱式無線充電発光装置を示す斜視図である。
【図９】図９は、図８による本考案の側面図である。
【図１０】図１０は、本考案による第４実施例の着脱式無線充電発光装置を示す斜視図である。
【図１１】図１１は、図１０による本考案の側面図である。
【考案を実施するための形態】
【００１０】
本考案の特徴、特点及び技術内容をさらに深く了解を得るため、以下の本考案に係る詳細説明及び添付図面を参照すれば得られるが、前記添付図面は参考や説明のみ提供され、本考案を局限するものではない。
【００１１】
＜第１実施例＞
図１〜図４は、本考案による第１実施例の着脱式無線充電発光装置を示す斜視図、側面図、回路ブロック図、及び使用状態図である。
図１〜図４に示すように、本考案による着脱式無線充電発光装置は、本体１１０と、少なくとも一つの発光素子１２０と、受信回路１３０と、少なくとも一つの固定部材１４０とを含む。これらの部品を製品２００に位置決めすることで、無線充電可能でこれらの発光素子１２０に電気を与えて発光させることができる。
該製品は、衣服や、ズボン、スカート、肌着、革製バッグ、ベルト（ウェストベルト）、レインコート、帽子、又はジャケットなどであるが、これに限られない。また、該製品２００に充電装置３００が位置決めされる（例えば、クリップ、結束、接着又は互いに吸着など）。充電装置３００は、発射回路３１０と、発射回路３１０に接続された電源ユニット３２０とを有し、電源ユニット３２０が発射回路３１０に電気を与えて、且つ、前記電気が発射回路３１０により交流信号に変換される。
【００１２】
本体１１０は、例えば、布地、綿地または編地などの編組物或いは可撓性プリント基板であり、本実施例では、本体１１０は編組物である。これらの発光素子１２０（例えば、発光ダイオード（LED）又は有機発光ダイオード（Organic Light-Emitting Diode;OLED））が該本体１１０内に設けられる。また、本体１１０が編成されるときに、これらの発光素子１２０を本体１１０内に一体に編成して、これらの発光素子１２０の体積の一部を本体１１０内に設置させ、他部が本体１１０の外に露出させ、露出された発光素子１２０上に防水層（例えば、重合防水材）（図示せず）が形成されたことによって、防水性及びシール性が向上される。
【００１３】
発射回路３１０により受信回路１３０に交流信号を無線伝送するため、発光素子１２０に受信回路１３０が電気的に接続される。受信回路１３０は、受信誘導コイル１３１と、受信誘導コイル１３１に接続する二次受信共振回路１３２と、二次受信共振回路１３２に接続するAＣ/DＣ整流平滑定電圧回路１３３と、AＣ/DＣ整流平滑定電圧回路１３３に接続する二次電池１３４とを含む。二次電池１３４は、内蔵式二次電池又は外接型二次電池の何れかであれば良い。受信誘導コイル１３１により発射回路３１０からの交流信号を受信して、該交流信号が二次受信共振回路１３２により同調されるとともに、該交流信号がAＣ/DＣ整流平滑定電圧回路１３３により整流、定圧され、該交流信号を電気に変換させ、さらに、二次電池１３４により電気を蓄えて各発光素子１２０に電気を与えて発光させる。
【００１４】
発射回路３１０と電源ユニット３２０とは、有線接続か無線接続の何れかであれば良い。発射回路３１０は、電源ユニット３２０に接続する振動分周回路３１１と、振動分周回路３１１に接続する駆動増幅回路３１２と、駆動増幅回路３１２に接続する一次発射共振回路３１３と、一次発射共振回路３１３に接続する発射コイル３１４とを含み、振動分周回路３１１により電源ユニット３２０からの電気を交流信号に変換し、該交流信号が駆動増幅回路３１２により増幅された後に、増幅された交流信号が一次発射共振回路３１３により同調され、さらに、発射コイル３１４から受信回路１３０に伝送する。発射回路３１０は、さらに、発射コイル３１４に接続するフィードバック検知回路３１５と、フィードバック検知回路３１５及び振動分周回路３１１に接続する制御調節回路３１６とを含み、フィードバック検知回路３１５により発射コイル３１４からの交流信号を制御調節回路３１６にフィードバックして、振動分周回路３１１の振動頻度を制御調節回路３１６により調節し、最適な同調品質を取得する。
【００１５】
これらの固定部材１４０は、ボタン（例えば、リングホック、２本バネホック、ジーンズボタン、アイレット、ハトメ、カシメ、止めボタン、リベット）、両面テープ、マジックテープ、紐、引っ掛かり、磁石などであり、これらの固定部材１４０が本体１１０の表面に設けられ、本体１１０は、固定部材１４０により係合、結束、接着、結び付き又は相互吸着などの方式で該製品２００と互いに結合して位置決めされた。
【００１６】
本実施例では、固定部材１４０はマジックテープであり、該製品は帽子であり、すなわち、製品２００に本考案の着脱式無線充電発光装置を設置しようとする場合に、本体１１０は、これらの固定部材１４０のみで該製品２００に直接的に結合すればよい。
【００１７】
さらに、受信回路１３０が本体１１０に設けられ、充電装置３００と受信回路１３０とが互いに位置決めされたことにより（図に示すように、充電装置３００と受信回路１３０とがクリップで位置決めされ）、電源ユニット３２０で発射回路３１０に電気を与えて、該電気が発射回路３１０により交流信号に変換されるとともに、発射回路３１０の発射コイル３１４を介して受信回路１３０に交流信号を伝送して、受信回路１３０による充電を行い、二次電池１３４により該電気を蓄えて発光素子１２０に電気を供給し、その使用利便性を向上させる。
【００１８】
＜第２実施例＞
図４〜図７は、本考案による第２実施例の着脱式無線充電発光装置を示す斜視図、側面図、及び回路ブロック図である。図４〜図７に示すように、本実施例の発光装置及びその製造方法は、前記実施例と略同一であり、制御回路１５０及びスイッチ１６０が付加された点で主に異なっている。制御回路１５０及びスイッチ１６０がいずれも本体１１０内に設けられ、制御回路１５０、スイッチ１６０及び受信回路１３０が発光素子１２０に電気的に直列接続され、受信回路１３０の二次電池１３４により発光素子１２に電気を与えて発光させるとともに、発光素子１２０の点灯又は滅灯をスイッチ１６０により制御し、さらに、発光素子１２０の発光方式（例えば、正常発光、点滅或いは異なる輝度など）を制御回路１５０により制御できる。
【００１９】
＜第３実施例＞
図８〜図９は、本考案による第３実施例の着脱式無線充電発光装置を示す斜視図及び側面図である。図８〜図９に示すように、本実施例の発光装置及びその製造方法は、前記実施例と略同一であり、これらの固定部材１４０は止めボタンである点で主に異なっている。これらの固定部材１４０が本体１１０の表面に設けられ、本体１１０は、これらの固定部材１４０により該製品と係合方式で互いに結合して位置決めされた。
【００２０】
＜第４実施例＞
図１０〜図１１は、本考案による第４実施例の着脱式無線充電発光装置を示す斜視図及び側面図である。図１０〜図１１に示すように、本実施例の発光装置及びその製造方法は、前記実施例と略同一であり、これらの固定部材１４０は引っ掛りである点で主に異なっている。これらの固定部材１４０が本体１１０の表面に設けられ、本体１１０は、これらの固定部材１４０により該製品と結び付き方式で互いに結合して位置決めされた。
【００２１】
本考案による着脱式無線充電発光装置は、少なくとも一つの発光素子１２０及び受信回路１３０が本体１１０内に設けられ、二次電池１３４を有する受信回路１３０と発光素子１２０とが電気的に接続され、本体１１０の表面に少なくとも一つの固定部材１４０が設けられることによって、これらの固定部材１４０のみで本考案の発光装置を製品２００に結合可能となることを特徴とする。
【００２２】
さらに、本体１１０は、受信回路１３０を設けており、受信回路１３０に交流信号を充電装置３００の発射回路３１０により無線伝送し、該交流信号が受信回路１３０により電気に変換され、さらに、受信回路１３０の二次電池１３４により電気を蓄えて各発光素子１２０に電気を与えて発光させることができる。また、発光素子１２０の点灯又は滅灯がスイッチ１６０により制御され、発光素子１２０の発光方式が制御回路１５０により制御できるようになっている。
【００２３】
以上のように単に本考案の好ましい実施例に過ぎず、本考案の実用新案登録請求の範囲を限定するものではなく、いずれの当該分野における通常の知識を有する者が、本考案の分野の中で、適当に変更や修飾などを実施できるが、これらの実施が本考案の範囲に含まれるべきことは言うまでもないことである。
【符号の説明】
【００２４】
１１０・・・・・・本体
１２０・・・・・・発光素子
１３０・・・・・・受信回路
１３１・・・・・・受信誘導コイル
１３２・・・・・・二次受信共振回路
１３３A・・・・・・Ｃ/DＣ整流平滑定電圧回路
１３４・・・・・・二次電池
１４０・・・・・・固定部材
１５０・・・・・・制御回路
２００・・・・・・製品
３００・・・・・・二次電池
３１０・・・・・・発射回路
３１１・・・・・・振動分周回路
３１２・・・・・・駆動増幅回路
３１３・・・・・・一次発射共振回路
３１４・・・・・・発射コイル
３１５・・・・・・フィードバック検知回路
３１６・・・・・・制御調節回路
３２０・・・・・・電源ユニット
【図１】
0003167674.tif 000003
【図２】
0003167674.tif 000004
【図３】
0003167674.tif 000005
【図４】
0003167674.tif 000006
【図５】
0003167674.tif 000007
【図６】
0003167674.tif 000008
【図７】
0003167674.tif 000009
【図８】
0003167674.tif 000010
【図９】
0003167674.tif 000011
【図１０】
0003167674.tif 000012
【図１１】
0003167674.tif 000013